(57)【要約】【課題】丸録りにより複数の番組が録画されても、ユーザは再生時に、放送休止の時間帯や停電等の事情を考慮しなければならず、利便性の点で課題があった。【解決手段】実施形態に係る録画装置は、複数の放送チャンネルで送信された複数の番組データを同時に受信し、記録媒体へ連続的に録画する録画手段を備える。また、記録媒体に連続的に録画された番組データ有無の検出を、第１の時間単位毎に実行し、検出結果からデータテーブルを作成するデータテーブル作成手段を備える。また、データテーブルに基づいて、連続的に録画された番組データの有無を、表示装置に出力する録画データ出力手段を備える。【選択図】  図２
2015039056.tif 000002
【特許請求の範囲】
【請求項１】
複数の放送チャンネルで送信された複数の番組データを同時に受信し、記録媒体へ連続的に録画する録画手段と、
前記記録媒体に連続的に録画された番組データ有無の検出を、第１の時間単位毎に実行し、この検出結果からデータテーブルを作成するデータテーブル作成手段と、
前記データテーブルに基づいて、連続的に録画された番組データの有無を、表示装置に出力する録画データ出力手段を備える録画装置。
【請求項２】
前記番組データの検出は、受信した全ての放送チャンネルについて実行される請求項１に記載の録画装置。
【請求項３】
前記番組データの検出は、第２の時間単位毎の放送受信状態の検出を含む請求項１または２に記載の録画装置。
【請求項４】
前記第２の時間単位は、前記第１の時間単位より小さい時間単位で行われる請求項３に記載の録画装置。
【請求項５】
複数の放送チャンネルで送信された複数の番組データを同時に受信し、記録媒体へ連続的に録画するステップと、
前記記録媒体に連続的に録画された番組データ有無の検出を、第１の時間単位毎に実行し、検出結果からデータテーブルを作成するステップと、
前記データテーブルに基づいて、連続的に録画された番組データの有無を、表示装置に出力するステップを備える録画方法。
【請求項６】
前記番組データの検出は、受信した全ての放送チャンネルについて実行される請求項５に記載の録画方法。
【請求項７】
前記番組データの検出は、第２の時間単位毎の放送受信状態の検出を含む請求項５または６に記載の録画方法。
【請求項８】
前記第２の時間単位は、前記第１の時間単位より小さい時間単位で行われる請求項７に記載の録画方法。
【請求項９】
複数の放送チャンネルで送信された複数の番組データを同時に受信し、記録媒体へ連続的に録画する録画手段と、
前記記録媒体に連続的に録画された番組データ有無の検出を、第１の時間単位毎に実行し、検出結果からデータテーブルを作成するデータテーブル作成手段と、
映像が表示される表示装置と、
前記データテーブルに基づいて、連続的に録画された番組データの有無を、前記表示装置に表示する表示手段を備える映像表示装置。
【発明の詳細な説明】
【技術分野】
【０００１】
本発明の実施形態は、放送番組を受信し、録画する録画装置に関する。
【背景技術】
【０００２】
現在、放送局等から送信される放送番組を受信し、蓄積ストレージ等の録画装置に録画することが行われている。
例えば、２６時間８チャンネル等、複数の放送局から送信された複数の番組を同時に受信し、全て録画する、“丸録り“が可能な録画装置が普及している。
しかし、丸録りが設定されていても、放送局の放送休止の時間帯や停電等の事情で、録画がされず、録画データが存在しない時間帯が存在する場合が考えられる。
ユーザは、逐次、上記事情を考慮してコンテンツを再生しなければならず、利便性の点で課題があった。
【先行技術文献】
【特許文献】
【０００３】
【特許文献１】特開2008-301419号公報
【発明の概要】
【発明が解決しようとする課題】
【０００４】
丸録りにより複数の番組が録画されても、ユーザは再生時に、放送休止の時間帯や停電等の事情を考慮しなければならず、利便性の点で課題があった。
【課題を解決するための手段】
【０００５】
実施形態に係る録画装置は、複数の放送チャンネルで送信された複数の番組データを同時に受信し、記録媒体へ連続的に録画する録画手段を備える。
また、記録媒体に連続的に録画された番組データ有無の検出を、第１の時間単位毎に実行し、検出結果からデータテーブルを作成するデータテーブル作成手段を備える。
【０００６】
また、データテーブルに基づいて、連続的に録画された番組データの有無を、表示装置に出力する録画データ出力手段を備える。
【図面の簡単な説明】
【０００７】
【図１】実施形態に係わる録画装置を示すブロック図。
【図２】実施形態に係わる録画装置において、丸録りされた録画番組（録画データ）有無を表示する表示画面の一例を示す図。
【図３】実施形態に係わる録画装置において、丸録りされた録画番組を探索して、再生可能な番組コンテンツの時刻情報等を取得する動作を説明するフローチャート。
【図４】実施形態に係わる録画装置において、１分単位で録画データの有無を検索し、記録されたデータテーブルの一例を示す図。
【図５】実施形態に係わる録画装置において、一秒タイマーを用いてデータテーブルを更新する方法を説明するフローチャート。
【図６】実施形態に係わる録画装置において、一分タイマーを用いてデータテーブルを更新する方法を説明するフローチャート。
【発明を実施するための形態】
【０００８】
以下、図面を参照し、この発明の実施形態を説明する。
図１は、実施形態に係わる録画装置を示すブロック図である。
符号１は映像表示装置（デジタル放送受信装置）、符号２はアンテナ、符号３はチューナ、符号４は信号処理部、符号５は映像処理部、符号６は音声処理部、符号７は表示装置、符号８は画面、符号９はスピーカである。
【０００９】
符号１０はバス、符号１１は制御部、符号１２はＭＰＵ、符号１３はＲＡＭ、符号１４はＲＯＭ、符号１５はフラッシュメモリ、符号１６ａは記憶部、符号１６ｂは設定値保持部である。
【００１０】
符号１７は内部記録装置である。例えば、内蔵ＨＤＤ（ハードディスク装置）や内蔵ＳＳＤ（Solid State Disk：  半導体記憶素子であるフラッシュメモリを使用した記憶装置）等で構成される。
【００１１】
符号１８は外部インターフェース、符号１９は外部インターフェース１８を介して外部に接続される外部記憶装置である。この外部記憶装置１８も上記ＨＤＤやＳＳＤ等で構成される。
【００１２】
符号２０は操作受信部、符号２１は操作機器、符号２１は送受信部、符号２２は送受信部、符号２３は消費電力比較部、符号２４はＧＵＩ制御部、符号２５は放送局、符号２６はネットワーク、符号２７はサーバである。
【００１３】
この映像表示装置１は、内部記録装置１７および外部記憶装置１８それぞれに、録画を行うことが可能である。
特に図示しないが、チューナ３は複数のチューナで構成され、複数のチャンネルを受信可能に構成される。
また、内部記録装置１７は、タイムシフト用と通常録画用のHDDを備え、タイムシフト用HDDには、例えば、過去約26時間分の番組を最大8チャンネル分一時保管、すなわち、26時間8チャンネルを“丸録り“することが可能である。
【００１４】
図２は、実施形態に係わる録画装置において、丸録りされた録画番組（録画データ）有無を表示する表示画面の一例を示す図である。
符号30は録画データ有無を表示画面する表示画面である。符号31は録画データなし（×）の表示、符号32は録画データあり（○）の表示、符号33はUI（ユーザ・インターフェース）である。
【００１５】
例えば、ここでは、放送局（ch 1）の録画データの有無が表示されている。
3/2（火）は、時刻AM0からPM5までの録画データなし（×）が表示され、録画データがないことが示されている。時刻PM５以降は、録画データあり（○）が表示され、録画データがあることが示されている。
【００１６】
3/3（水）は、時刻AM３からAM4：３０までの録画データなし（×）が表示され、録画データがないことが示されている。時刻AM0から時刻AM３までとAM4：３０以降は、録画データあり（○）が表示され、録画データがあることが示されている。
【００１７】
3/4（木）は、録画データなし（×）が表示された時刻はなく、全ての時間に録画データがあることが示されている。
3/5（金）は、時刻AM2からAM5までの録画データなし（×）が表示され、録画データがないことが示されている。時刻AM0から時刻AM２までとAM５以降は、録画データあり（○）が表示され、録画データがあることが示されている。
【００１８】
3/６（土）は、録画データなし（×）が表示された時刻はなく、全ての時間に録画データがあることが示されている。
3/７（日）は、時刻AM４からAM5までの録画データなし（×）が表示され、録画データがないことが示されている。時刻AM0から時刻AM４までとAM５以降は、録画データあり（○）が表示され、録画データがあることが示されている。
【００１９】
3/８（月）は、時刻AM２からAM４までの録画データなし（×）が表示され、録画データがないことが示されている。時刻AM0から時刻AM２までとAM４以降は、録画データあり（○）が表示され、録画データがあることが示されている。
【００２０】
3/９（火）は、時刻AM２からAM４：３０までの録画データなし（×）が表示され、録画データがないことが示されている。時刻AM0から時刻AM２までとAM４：３０以降は、録画データあり（○）が表示され、録画データがあることが示されている。
【００２１】
同様に、図示しない表示切り替えを行うことにより、他の放送局（ch 2 - ch 8）についても録画データの有無が表示される。
この実施の形態においては、図に示すように、表示画面30に、丸録りされた番組に係る録画データの有無が表示され、ユーザの利便性が向上する。
録画された番組データがある場合は、表示画面30に録画データあり（○）32が表示される。
また、録画された番組データがない場合は、表示画面30に録画データなし（×）31が表示される。
これにより、映像表示装置（録画装置）１は、録画されている時刻（再生可能な時刻）の一覧を、ユーザにすばやく提供することが可能になる。
ユーザは、図示しないリモートコントローラ等を操作し、UI33を用いて録画データあり（○）32と表示された部分の番組コンテンツを視聴することができる。
図３は、従来の録画装置において、丸録りされた録画番組を探索して、再生可能な番組コンテンツの時刻情報等を取得する動作を説明するフローチャートである。
符号３００は、開始ステップである。続いて符合３０１を付したステップへ進む。
符号３０１は、次の番組を探索するステップである。続いて符合３０２を付したステップへ進む。
符号３０２は、番組が発見されたかを判断するステップである。番組が発見されたと判断された場合は符号３０３を付したステップへ進む（Ｙｅｓ）。番組が発見されたと判断されない場合は符号３０５を付したステップへ進む（Ｎｏ）。
【００２２】
符号３０３は、指定番組のランダムアクセステーブルを参照するステップである。続いて符合３０４を付したステップへ進む。
符号３０４は、録画表示の再生可能エリアを更新するステップである。続いて符合３０１を付したステップへ進み、上記処理が繰り返される。
符号３０５は、終了ステップである。
このように、例えば、上記７日間に録画した全ての番組について、例えば、500ms毎にHDDの書き込み位置を記したテーブルランダムアクセステーブルを参照した場合、ＵＩの表示に時間が係り、ユーザの利便性が損なわれる。
【００２３】
図４は、実施形態に係わる録画装置において、１分単位で録画データの有無を検索し、記録されたデータテーブルの一例を示す図である。
ここでは、記録媒体（１７，１９）に連続的に録画された番組データ有無の検出を、１分単位で実行する。そして、検出結果からデータテーブルを作成し、例えば、フラッシュメモリ１５や記録媒体（１７，１９）に記録する。
【００２４】
このデータテーブルは、連続した時間において、録画データが存在する時刻と存在しない時刻を１分単位で管理するテーブルである。
このデータテーブルを用いて図２に示す表示を行うことで、どの時刻範囲において録画データが存在し、どの時刻範囲において録画データが存在しないかをユーザが容易に判定可能である。
【００２５】
ここでは、×表示のｃｈ３の2日00時00分、2日00時01分、2日00時02分、およびｃｈ６の2日00時00分、2日00時01分、2日00時02分の録画データがないことが検出され、また、○表示の時刻は録画データがあることが検出され、それぞれデータテーブルに保存される。
【００２６】
ここで一例として、８チャンネル、３２日間のテーブルを作成した場合を想定する。
次式に示すように、この時でも、約360KBと、フラッシュメモリ１５等に保持できるサイズとなる。
32[day]×24[h]×60[min]×8[ch]×8[bit]＝368640[byte]＝360[kbyte]
図５は、実施形態に係わる録画装置において、一秒タイマーを用いてデータテーブルを更新する方法を説明するフローチャートである。
ここでは、１秒毎に各放送局から送信される放送の受信状態をチェックする。
符号１００は、開始ステップである。続いて符合１０１を付したステップへ進む。
符号１０１は、一秒タイマーを開始するステップである。続いて符合１０２を付したステップへ進む。
符号１０２は、放送受信状態を確認するステップである。制御部１１は、各放送局から送信される放送の受信状態を１秒毎にチェックするよう制御する。続いて符合１０３を付したステップへ進む。
【００２７】
符号１０３は、放送の受信エラーがあったか否かを判断するステップである。受信エラーがあったと判断される場合は符号１０４を付したステップへ進む（Yes）。受信エラーがあったと判断されない場合は符号１０５を付したステップへ進む（No）。
【００２８】
符号１０４は、エラーフラグをＯＮとし、付加するステップである。続いて符合１０５を付したステップへ進む。
符号１０５は、終了ステップであり、ここでの処理は終了する。
このように、放送の受信状態が１秒毎にチェックされ、エラーが検出された場合はエラーフラグをＯＮとし、付加する。
上記受信エラーは放送休止の場合も同様に適用可能である。
また、上記では放送受信状態のチェックは１秒毎に行われた例を説明したが、必ずしも1秒に限られるものではなく、適宜変更可能である。
図６は、実施形態に係わる録画装置において、一分タイマーを用いてデータテーブルを更新する方法を説明するフローチャートである。
受信エラー（放送休止を含む）が発生しない場合は、録画データ有り（再生可能）と判断する。受信エラーを検出した場合は、録画データなし（再生不可）と判断する。
【００２９】
符号２００は、開始ステップである。続いて符合２０１を付したステップへ進む。
符号２０１は、一分タイマーを開始するステップである。ここでは上記のように、一分単位で、録画データの有無を検出し、図４に示すデータテーブルに反映する。続いて符合２０２を付したステップへ進む。
【００３０】
符号２０２は、上記エラーフラグを参照するステップである。続いて符合２０３を付したステップへ進む。
符号２０３は、エラーフラグのONを判断するステップである。エラーフラグがONと判断された場合は、符号２０４を付したステップへ進む（Yes）。エラーフラグがONと判断されない場合は、符号２０５を付したステップへ進む（No）。
【００３１】
符号２０４は、録画データに関し、再生不可（×）へデータテーブルを更新するステップである。続いて符合２０６を付したステップへ進む。
符号２０５は、録画データに関し、再生可（○）へデータテーブルを更新するステップである。続いて符合２０６を付したステップへ進む。
符号２０６は、エラーフラグをクリアするステップである。続いて符合２０７を付したステップへ進む。
符号２０７は、終了ステップであり、ここでの処理は終了する。
尚、上記説明においては、録画データ有無の検出は一分単位で行ったが、これに限定されるものではなく、１秒〜１０分程度の間の時間を単位として変形することも可能である。
【００３２】
また、放送の受信状態チェックを行う間隔の時間単位は、録画データ有無の検出を行う間隔の時間単位より小さい時間単位の方が望ましい。
また、この実施の形態は、図示しない過去時刻入力キーを押下し、過去時刻入力画面を起動するように構成することも可能である。
また、数字キーで日時を指定するようにすることも可能である。例えば、日、時、分の６桁を入力するようにしても良い。
また、上記１分単位のデータテーブルを参照し、現在視聴しているチャンネルについて、指定された時刻に録画データがあるかを確認するように構成することも可能である。
【００３３】
また、録画データが存在する場合は、指定時刻位置から再生を開始するように構成しても良い。
また、録画データが存在しない場合は、指定時刻に録画データがないことを示すワーニングを表示するように構成しても良い。
また、１分テーブルの前後のデータを探索することで、○○日○○時○○分〜○○日○○時○○分までの録画データがないことを示すワーニングを表示するように構成しても良い。
【００３４】
すなわち、この実施の形態は、丸録りを行う録画装置において、録画データが存在する時刻と存在しない時刻を、１分単位で管理するテーブルを作成し、録画されている時刻（再生可能な時刻）の一覧を、ユーザに、すばやく提供することが可能である。
【００３５】
そして、複数の放送チャンネルで送信された複数の番組データを同時に受信し、記録媒体へ連続的に録画（丸録り）する手段と、記録媒体に連続的に録画された番組データ有無の検出を、第１の時間単位毎に実行し、検出結果からデータテーブルを作成するデータテーブル作成手段と、データテーブルに基づいて、連続的に録画された番組データの有無を、複数の日について、表示装置に出力するように構成している。
【００３６】
番組データの検出は、受信した全ての放送チャンネルについて実行するように構成しても良い。
なお、上記実施形態は、記述そのものに限定されるものではなく、実施段階では、その趣旨を逸脱しない範囲で、構成要素を種々変形して具体化することが可能である。
【符号の説明】
【００３７】
１…映像表示装置（デジタル放送受信装置）、２…アンテナ、３…チューナ、４…信号処理部、５…映像処理部、６…音声処理部、７…表示装置、８…画面、９…スピーカ、１０…バス、１１…制御部、１２…ＭＰＵ、１３…ＲＡＭ、１４…ＲＯＭ、１５…フラッシュメモリ、１６ａ…記憶部、１６ｂ…設定値保持部、１７…内部記録装置、１８…外部インターフェース、１９…外部記憶装置、２０…操作受信部、２１…操作機器、２１…送受信部、２２…送受信部、２３…消費電力比較部、２４…ＧＵＩ制御部、２５…放送局、２６…ネットワーク、２７…サーバ、３０…修復入力ボタン。
【図１】
2015039056.tif 000003
【図２】
2015039056.tif 000004
【図３】
2015039056.tif 000005
【図４】
2015039056.tif 000006
【図５】
2015039056.tif 000007
【図６】
2015039056.tif 000008